(57)【要約】  【目的】  腰の部位に弾力的に当接して人体工学に適った無段角度調整を達成する腰当接ユニットを具える椅子の背もたれを提供する。【解決手段】  所定の形状に形成される固定フレームに背もたれユニットを設けるとともに、支持部材を介して腰当接ユニットを設け、該腰当接ユニットは、クッション部と、支持板と、カバーとによって構成し、該支持部材の下方の一端を該支持板と該カバーとの間に固定し、該固定フレームは略中央の位置に突起とネジ孔を形成し、上端部の該背もたれユニットに対応する位置には複数の位置決め柱を形成するとともに、下端縁部には椅子の座部の底面に固定する位置決め板を前方に突起するように設け、該腰当接ユニットに連結した該支持部材の上端を該固定フレームの突起を形成した位置に固定し、該固定フレームの位置決め柱によって該背もたれユニットを位置決めして固定し、該固定フレームの下端縁部の位置決め板を椅子の座部の底面に固定する。【選択図】  図１
2006192039.tif 000002
【特許請求の範囲】
【請求項１】
所定の形状に形成される固定フレームに背もたれユニットを設けるとともに、支持部材を介して腰当接ユニットを設けてなる椅子の背もたれであって、
該腰当接ユニットは、クッション部と、支持板と、カバーとによって構成し、該支持部材の下方の一端を該支持板と該カバーとの間に固定し、
該固定フレームは、略中央の位置に突起とネジ孔を形成し、上端部の該背もたれユニットに対応する位置には複数の位置決め柱を形成するとともに、下端縁部には椅子の座部の底面に固定する位置決め板を前方に突起するように設け、
該腰当接ユニットに連結した該支持部材の上端を該固定フレームの突起を形成した位置に固定し、該固定フレームの位置決め柱によって該背もたれユニットを位置決めして固定し、さらに該固定フレームの下端縁部の位置決め板を椅子の座部の底面に固定することを特徴とする椅子の背もたれ。
【発明の詳細な説明】
【技術分野】
【０００１】
本発明は、椅子に関し、特に椅子の背もたれの改良構造に関する。
【背景技術】
【０００２】
従来の背もたれを具える椅子は背もたれが円弧状の曲面を呈し、使用者が腰掛けた場合、腰に近い部分に当接するように一体に構成される。但し、使用者の体型はそれぞれ異なり、人によっては必ずしも腰に近い位置に正確に当接するとは限らない。このため、腰掛けた場合好ましい感覚が得られず、実用性に欠けるという欠点を有する。
【０００３】
そこで、高さを調整できる腰当接パッドが業界で開発された。かかる腰当接パッドは、背もたれに付随させるものであって、弾性を有する紐で背もたれの前に位置するように支持するか。もしくは背もたれ内に伝動部材を設け、該伝動部材によって間接的に腰当接パッドを伸縮させて位置を移動させる。但し、かかる腰当接パッドは実際に使用する場合、次に掲げる状況が発生する。
付属式の腰当接パッドは、椅子全体のデザインの統一性の大きな妨げとなるのみならず、弾性を具える紐は、容易に弾性が疲労し、正確な位置に設けることができなくなる。
背もたれ内に伝動部材を設ける場合は部材の点数が増え、相対的に材料のコストと組み立てのコストが高くなる。
弾性を有する紐で支持して付属させる形式であろうと、伝動部材を設ける形式であろうと、腰当接パッド自体は単一の角度でしか当接しない。即ち、弾性のない角度の調整だけの固定的な形式である。
【０００４】
したがって、使用者の体型に合わせ、全方向に対する無段式の角度の調整を達成し、使用者に対する適用性が高く、人体工学に適った形式のものが望まれている。
【発明の開示】
【発明が解決しようとする課題】
【０００５】
本発明は、使用者の腰の部位に当接する腰当接部を具え、かつ該腰当接部が弾力的に接して人体工学に適った無段角度調整を達成する椅子の背もたれを提供することを課題とする。
【０００６】
また、本発明は、使用者の腰の部位に当接する腰当接部を具え、かつ構造が簡易で組み立てが容易な椅子の背もたれを提供することを課題とする。
【課題を解決するための手段】
【０００７】
そこで、本発明者は従来の技術に見られる欠点に鑑み鋭意研究を重ねた結果、所定の形状に形成される固定フレームと、該固定フレームに設ける背もたれユニットと、クッション部、支持板、及びカバーとによって構成する腰当接ユニットと、該腰当設ユニットを該固定フレームに支持する支持部材とによってなり、該腰当接ユニットは、し、該支持部材の下方の一端を該支持板と該カバーとの間に固定し、該固定フレームは、略中央の位置に突起とネジ孔を形成し、上端部の該背もたれユニットに対応する位置には複数の位置決め柱を形成するとともに、下端縁部には椅子の座部の底面に固定する位置決め板を前方に突起するように設け、該腰当接ユニットに連結した該支持部材の上端を該固定フレームの突起を形成した位置に固定し、該固定フレームの位置決め柱によって該背もたれユニットを位置決めして固定し、さらに該固定フレームの下端縁部の位置決め板を椅子の座部の底面に固定する椅子の背もたれの構造によって課題を解決できる点に着眼し、かかる知見に基づいて本発明を完成させた。
以下、本発明について具体的に説明する。
【０００８】
請求項１に記載する椅子の背もたれは、所定の形状に形成される固定フレームに背もたれユニットを設けるとともに、支持部材を介して腰当接ユニットを設けてなる椅子の背もたれであって、
該腰当接ユニットは、クッション部と、支持板と、カバーとによって構成し、該支持部材の下方の一端を該支持板と該カバーとの間に固定し、
該固定フレームは、略中央の位置に突起とネジ孔を形成し、上端部の該背もたれユニットに対応する位置には複数の位置決め柱を形成するとともに、下端縁部には椅子の座部の底面に固定する位置決め板を前方に突起するように設け、
該腰当接ユニットに連結した該支持部材の上端を該固定フレームの突起を形成した位置に固定し、該固定フレームの位置決め柱によって該背もたれユニットを位置決めして固定し、さらに該固定フレームの下端縁部の位置決め板を椅子の座部の底面に固定する。
【発明の効果】
【０００９】
本発明による椅子の背もたれは、使用者の体型に合わせ、もしくは姿勢に合わせ人体工学に適った無段式の角度の調整を達成する腰当接ユニットを具えることによって、使用者に好ましい接触感を与えるという利点を有する。
【００１０】
また、本発明による椅子の背もたれは、構造が簡易で組み立てが容易であるため、生産コストを低減させるとともに、生産性を高めるという利点を有する。
【発明を実施するための最良の形態】
【００１１】
図１、２に開示するように、本発明による椅子の背もたれは腰当接ユニット１を支持部材２で背もたれユニット３の固定フレーム４に位置決めすることにより、腰当接ユニット１が弾力的な無段調整が達成できるように構成されている。
【００１２】
腰当接ユニット１は、クッション部１１と、支持板１２と、カバー１３の三種類の部材により構成される。また、支持板１２とカバー１３との間に支持部材２をネジで固定する。即ち、支持板１２に複数の貫通孔１２１を穿設し、支持部材２の下方の一端に、該貫通孔１２１に対応する位置にネジ孔を穿設して、例えばネジである固定部材５を挿通させて固定する。
【００１３】
さらに、支持板１２には、別途位置決め孔１２２を穿設し、カバー１３には該位置決め孔１２２に対応する位置に位置決め柱１３１を形成し、該位置決め柱１３１を該位置決め孔１２２に嵌挿して支持部材２と支持板１２とカバー１３とを固定する。
【００１４】
背もたれユニット３は、クッション部３１と支持部３２とを係合させて一体に構成される。
【００１５】
固定フレーム４は所定の形状に形成され、略中央の位置に突起４１とネジ孔４２を形成する。また、上端部の該背もたれユニット３に対応する位置には複数の位置決め柱４３を形成するとともに、下端縁部には前方に突起する位置決め板４４を一体に設ける。
【００１６】
上述するそれぞれの部材を組み立てる場合（図１、３参照）、腰当接ユニット１に連結した支持部材２の上端を固定フレーム４の突起３１を形成した位置において、該突起３１を支持部材２の貫通孔に嵌挿させ、さらに固定部材５を支持部材２の貫通孔と固定フレーム４のネジ孔４２に挿通させて固定する。また、固定フレーム４の位置決め柱４３によって背もたれユニット３を位置決めして固定する。さらに、固定フレーム４の下端縁部の位置決め板４４を椅子の座部の底面に固定する。
【００１７】
組み立てが完成した本発明の背もたれを図３、４、５、６に開示する。本発明の背もたれは、使用者の椅子に腰掛ける場合の姿勢がどのようなものであっても、背もたれユニット３と腰当接ユニット１との間の支持部材２が弾力的に腰当接ユニット１を支持するとともに、人体工学に適った無段式の角度調整を達成（図６参照）することができ、使用者の腰の部位に当接して快適な接触感を与えることができる。
【００１８】
以上は、本発明の好ましい実施例であって、本発明の実施の範囲を限定するものではない。よって、当業者のなしえる修正、もしくは変更であって、本発明の精神に基づきなされ、かつ本発明に対して均等の効果を有するものは、いずれも本発明の特許請求の範囲に属するものとする。
【図面の簡単な説明】
【００１９】
【図１】本発明による椅子の背もたれの分解図である。
【図２】図１に開示する椅子の背もたれの外観を示した説明図である。
【図３】本発明による椅子の背もたれを設けた椅子の側面図である。
【図４】図１に開示する椅子の背もたれの正面図である。
【図５】図４に開示するＡ−Ａ線に沿った断面図である。
【図６】本発明において信号線とプラグベースとを設けた状態の断面説明図であって、圧力を受けた場合の状態を示した説明図である。
【符号の簡単な説明】
【００２０】
１                    腰当接ユニット
１１                  クッション部
１２                  支持板
１２１                貫通孔
１２２                位置決め孔
１３                  カバー
１３１                位置決め柱
２                    支持部材
３                    背もたれユニット
３１                  クッション部
３２                  支持部
４                    固定フレーム
４１                  突起
４２                  ネジ孔
４３                  位置決め柱
４４                  位置決め板
【図１】
2006192039.tif 000003
【図２】
2006192039.tif 000004
【図３】
2006192039.tif 000005
【図４】
2006192039.tif 000006
【図５】
2006192039.tif 000007
【図６】
2006192039.tif 000008